(57)【要約】【課題】スキャナーの開放操作によるペーパーサポートの破損を防止するとともにより操作性に優れた記録装置を提供する。【解決手段】記録装置は記録を行う記録ヘッドを備えた装置本体と、装置本体上部を開閉する開閉体と、給送前の媒体を支持する支持面を形成するとともに回動することにより傾斜姿勢を成す第１姿勢と、第１姿勢より直立姿勢に近い姿勢である第２姿勢とを取り得る媒体支持トレイと、媒体支持トレイを第２姿勢に向けて付勢する付勢手段とを備える。媒体支持トレイは、回動範囲において第２姿勢と第１姿勢とのの所定角度から第２姿勢の側では、付勢手段の付勢力を受けて第２姿勢に向けて回動する傾向が付与されており、媒体支持トレイの第２姿勢は開閉体が開いた状態で当該開閉体と干渉する姿勢であり、開閉体の開姿勢において媒体支持トレイ、所定角度から第２姿勢寄りの姿勢で開閉体により開かれている、【選択図】図５
2014196158.tif 000002
【特許請求の範囲】
【請求項１】
媒体に記録を行う記録ヘッドを備えた装置本体と、
前記装置本体の上部を開閉する開閉体と、
給送前の媒体を支持する支持面を形成するとともに、回動することにより傾斜姿勢を成す第１姿勢と、当該第１姿勢よりも立った姿勢である第２姿勢と、を取り得る媒体支持トレイと、
前記媒体支持トレイを前記第２姿勢に向けて付勢する付勢手段と、を備え、
前記媒体支持トレイは、回動範囲において前記第２姿勢と前記第１姿勢との間の所定角度から前記第２姿勢の側では、前記付勢手段の付勢力を受けて前記第２姿勢に向けて付勢されており、
前記媒体支持トレイの前記第２姿勢は、前記開閉体が開いた状態で当該開閉体と干渉する姿勢である、
ことを特徴とする記録装置。
【請求項２】
媒体に記録を行う記録ヘッドを備えた装置本体と、
前記装置本体の上部を開閉する第１開閉体と、
前記第１開閉体の上部を開閉する第２開閉体と、
給送前の媒体を支持する支持面を形成するとともに、回動することにより傾斜姿勢を成す第１姿勢と、当該第１姿勢よりも立った姿勢である第２姿勢と、を取り得る媒体支持トレイと、
前記媒体支持トレイを前記第２姿勢に向けて付勢する付勢手段と、を備え、
前記媒体支持トレイは、回動範囲において前記第２姿勢と前記第１姿勢との間の所定角度から前記第２姿勢の側では、前記付勢手段の付勢力を受けて前記第２姿勢に向けて付勢されており、
前記媒体支持トレイの前記第２姿勢は、前記第１開閉体が閉じ且つ前記第２開閉体が開いた状態において当該第２開閉体と干渉する姿勢であるとともに、前記第１開閉体が開き且つ前記第２開閉体が閉じた状態の前記第２開閉体と干渉する姿勢である、
ことを特徴とする記録装置。
【請求項３】
請求項２に記載の記録装置において、前記付勢手段は、前記媒体支持トレイの下端部と係合する係合部を有するとともに揺動可能に設けられた揺動部材と、
前記揺動部材を所定の揺動方向に付勢するばねと、を備え、
前記媒体支持トレイの回動を介して前記揺動部材が揺動し、前記係合部が前記媒体支持トレイの下端部を付勢する方向が変化することにより、前記媒体支持トレイが、前記所定角度を境にして回動する方向を変化させる、
ことを特徴とする記録装置。
【請求項４】
請求項２または３に記載の記録装置において、前記装置本体の一部を開閉可能に設けられ、開くことにより媒体を搬送する媒体搬送路の少なくとも一部を露呈させるカバーを備え、
前記媒体支持トレイが前記カバーに設けられるとともに、前記カバーを開いた状態で前記第２姿勢を維持する、
ことを特徴とする記録装置。
【請求項５】
請求項２から４のいずれか一項に記載の記録装置において、前記第１開閉体及び前記第２開閉体が閉じ、且つ前記媒体支持トレイが前記第２姿勢にあるときに、前記媒体支持トレイの上端部が、前記第２開閉体の上部に表れる、
ことを特徴とする記録装置。
【請求項６】
請求項２から５のいずれか一項に記載の記録装置において、前記媒体支持トレイの上端部において前記第２開閉体の開閉に伴い当該第２開閉体と接する部位には、回転可能なローラーが設けられている、
ことを特徴とする記録装置。
【請求項７】
請求項２から６のいずれか一項に記載の記録装置において、前記第１開閉体と前記媒体支持トレイとの間に形成される媒体差し込み口は、前記媒体支持トレイと、前記第１開閉体に設けられた、当該第１開閉体と前記媒体支持トレイとの間の間口を規制する規制カバーにより形成される、
ことを特徴とする記録装置。
【請求項８】
請求項７に記載の記録装置において、前記媒体支持トレイは、媒体のエッジ位置を規制するエッジガイドを備え、
前記規制カバーは、回動することにより倒伏姿勢と倒立姿勢とを取りうるとともに前記第２姿勢にある前記媒体支持トレイと係合可能に設けられ、前記媒体支持トレイが前記第１姿勢にあるときには前記媒体支持トレイとの係合を解除して前記倒伏姿勢をとり、
前記規制カバーの前記倒伏姿勢は、前記媒体支持トレイが前記第１姿勢から前記第２姿勢に切り換わる際に前記エッジガイドと干渉する姿勢であり、
前記媒体支持トレイが前記第１姿勢から前記第２姿勢に切り換わる際に、前記規制カバーが前記エッジガイドによって上方に所定量掬い上げられる、
ことを特徴とする記録装置。
【請求項９】
請求項８に記載の記録装置において、前記規制カバーにおいて前記第２開閉体の側の面には突起が設けられ、
前記第１開閉体及び前記第２開閉体が閉じた状態において前記規制カバーは、前記倒立姿勢において前記突起が前記第２開閉体に当接することで、当該倒立姿勢において前記倒伏姿勢の側へ回動する傾向が付与される、
ことを特徴とする記録装置。
【請求項１０】
請求項８または９に記載の記録装置において、前記媒体支持トレイが前記第２姿勢にあるときに、前記規制カバーの先端部が前記媒体支持トレイに形成された凹部と嵌合することにより、前記規制カバーの前記倒立姿勢の側への回動が規制される、
ことを特徴とする記録装置。
【発明の詳細な説明】
【技術分野】
【０００１】
本発明は、ファクシミリやプリンター等に代表される記録装置に関する。
【背景技術】
【０００２】
記録装置においては、複合機と呼ばれる、スキャナーを一体に備えたものがある。このようなスキャナー付き記録装置においては、スキャナーは記録装置内部へのアクセスを可能とする為に回動可能に設けられることが多い。また、記録装置には給送前の用紙を支持する支持トレイ（ペーパーサポート）が設けられることがある。この様なペーパーサポートはスキャナーの回動領域と干渉する場合があり、特許文献１には、スキャナーを開いたときにペーパーサポートの破損を防止できる構成を備えた記録装置が開示されている。
【先行技術文献】
【特許文献】
【０００３】
【特許文献１】特開２００５−２２３４１５号公報
【発明の概要】
【発明が解決しようとする課題】
【０００４】
スキャナーの回動領域とペーパーサポートとが干渉する場合、破損防止に加えて、良好な操作性も求められる。即ち、スキャナーを開いた際に当該スキャナーがペーパーサポートに当接し、そして更なるスキャナーの回動によってペーパーサポートが破損しない様に、ペーパーサポートを回動可能に構成することが考えられる。
【０００５】
しかしながらスキャナーの回動によってペーパーサポートが回動し、退避姿勢になると、ユーザーはペーパーサポートを元の姿勢に戻す必要が生じ、操作性の観点において必ずしも好ましくない。
【０００６】
また、ペーパーサポートの上記退避姿勢と使用時の姿勢とが同じである場合、装置構成によってはペーパーサポートが使用時の姿勢となったことを検知し、ペーパーサポートからの給紙モードに移行する場合がある。即ち、スキャナーを開くことによってペーパーサポートからの給紙モードに移行する。このとき、ユーザーが他の給紙手段を選択したい場合、例えば、用紙カセットからの給紙を選択したい場合には、ペーパーサポートを元の姿勢に戻す必要があり、煩雑となる。
【０００７】
そこで本発明はこの様な状況に鑑みなされたものであり、その目的は、スキャナーの開放操作によるペーパーサポートの破損を防止するとともに、より操作性に優れた記録装置を提供することにある。
【課題を解決するための手段】
【０００８】
上記課題を解決する為の、本発明の第１の態様に係る記録装置は、媒体に記録を行う記録ヘッドを備えた装置本体と、前記装置本体の上部を開閉する開閉体と、給送前の媒体を支持する支持面を形成するとともに、回動することにより傾斜姿勢を成す第１姿勢と、当該第１姿勢より直立姿勢に近い姿勢である第２姿勢と、を取り得る媒体支持トレイと、前記媒体支持トレイを前記第２姿勢に向けて付勢する付勢手段と、を備え、前記媒体支持トレイは、回動範囲において前記第２姿勢と前記第１姿勢との間の所定角度から前記第２姿勢の側では、前記付勢手段の付勢力を受けて前記第２姿勢に向けて回動する傾向が付与されており、前記媒体支持トレイの前記第２姿勢は、前記開閉体が開いた状態で当該開閉体と干渉する姿勢であり、前記開閉体の開姿勢において前記媒体支持トレイが、前記所定角度から前記第２姿勢寄りの姿勢で前記開閉体により開かれていることを特徴とする。
【０００９】
以下、説明の便宜上、媒体支持トレイの前記第２姿勢から前記第１姿勢へ向けた回動動作を媒体支持トレイが「開く」動作とし、その逆を「閉じる」動作とする。本態様によれば、開閉体と、当該開閉体の開閉領域に干渉する媒体支持トレイとを備えた記録装置において、前記第２姿勢（閉じた状態）の媒体支持トレイは、開閉体の開き動作に伴い開くことができるので、開閉体の開き動作に伴い媒体支持トレイが破損することを防止できる。
【００１０】
ここで媒体支持トレイは、回動範囲の所定角度から閉じる側では、付勢手段の付勢力を受けて前記第２姿勢（閉じた状態）に向けて回動する傾向が付与されている。ここでの「回動する傾向」とは、媒体支持トレイが自ら前記第２姿勢に向けて回動することができるという意味である。
【００１１】
そして前記開閉体が開いた状態では、媒体支持トレイが、前記所定角度から前記第２姿勢寄りの姿勢で前記開閉体により開かれているので、媒体支持トレイは付勢手段の付勢力を受けて開閉体に当接した姿勢を維持できる。従って前記開閉体を閉じれば、媒体支持トレイは前記第２姿勢（閉じた状態）に戻ることができるので、ユーザーが自ら媒体支持トレイを前記第２姿勢（閉じた状態）に戻す必要がなく、操作性が向上する。
【００１２】
本発明の第２の態様は、媒体に記録を行う記録ヘッドを備えた装置本体と、前記装置本体の上部を開閉する第１開閉体と、前記第１開閉体の上部を開閉する第２開閉体と、給送前の媒体を支持する支持面を形成するとともに、回動することにより傾斜姿勢を成す第１姿勢と、当該第１姿勢より直立姿勢に近い姿勢である第２姿勢と、を取り得る媒体支持トレイと、前記媒体支持トレイを前記第２姿勢に向けて付勢する付勢手段と、を備え、前記媒体支持トレイは、回動範囲において前記第２姿勢と前記第１姿勢との間の所定角度から前記第２姿勢の側では、前記付勢手段の付勢力を受けて前記第２姿勢に向けて回動する傾向が付与されており、前記媒体支持トレイの前記第２姿勢は、前記第１開閉体が閉じ且つ前記第２開閉体が開いた状態において当該第２開閉体と干渉する姿勢であるとともに、前記第１開閉体が開き且つ前記第２開閉体が閉じた状態の前記第２開閉体と干渉する姿勢であり、前記第１開閉体が閉じ且つ前記第２開閉体が開いた状態、及び前記第１開閉体が開き且つ前記第２開閉体が閉じた状態で、前記媒体支持トレイが、前記所定角度から前記第２姿勢寄りの姿勢で前記２開閉体により開かれていることを特徴とする。
【００１３】
本態様においても、説明の便宜上、媒体支持トレイの前記第２姿勢から前記第１姿勢へ向けた回動動作を媒体支持トレイが「開く」動作とし、その逆を「閉じる」動作とする。  
本態様によれば、第１、第２開閉体と、当該２つの開閉体の開閉領域に干渉する媒体支持トレイとを備えた記録装置において、前記第２姿勢（閉じた状態）の媒体支持トレイは、第１開閉体或いは第２開閉体の開き動作に伴い開くことができるので、第１、第２開閉体の開き動作に伴い媒体支持トレイが破損することを防止できる。
【００１４】
ここで媒体支持トレイは、回動範囲の所定角度から閉じる側では、付勢手段の付勢力を受けて前記第２姿勢（閉じた状態）に向けて回動する傾向が付与されている。ここでの「回動する傾向」とは、媒体支持トレイが自ら前記第２姿勢に向けて回動することができるという意味である。
【００１５】
そして第１開閉体或いは第２開閉体が開いた状態では、媒体支持トレイが、前記所定角度から前記第２姿勢寄りの姿勢で前記第２開閉体により開かれているので、媒体支持トレイは付勢手段の付勢力を受けて第２開閉体に当接した姿勢を維持できる。従って前記第１、第２開閉体を閉じれば、媒体支持トレイは前記第２姿勢（閉じた状態）に戻ることができるので、ユーザーが自ら媒体支持トレイを前記第２姿勢（閉じた状態）に戻す必要がなく、操作性が向上する。
【００１６】
本発明の第３の態様は、第２の態様において、前記付勢手段は、前記媒体支持トレイの下端部と係合する係合部を有するとともに揺動可能に設けられた揺動部材と、前記揺動部材を所定の揺動方向に付勢するばねと、を備え、前記媒体支持トレイの回動を介して前記揺動部材が揺動し、前記係合部が前記媒体支持トレイの下端部を付勢する方向が変化することにより、前記媒体支持トレイが、前記所定角度を境にして回動する方向を変化させることを特徴とする。
【００１７】
本態様によれば、前記媒体支持トレイに回動する傾向を付与する付勢手段は、揺動部材とばねとを備え、媒体支持トレイの回動を介して揺動部材が揺動し、媒体支持トレイの下端部を付勢する方向が変化する構成であるので、前記付勢手段を構造簡単にして低コストに構成できる。
【００１８】
本発明の第４の態様は、第２のまたは第３の態様において、前記装置本体の一部を開閉可能に設けられ、開くことにより媒体を搬送する媒体搬送路の少なくとも一部を露呈させるカバーを備え、前記媒体支持トレイが前記カバーに設けられるとともに、前記カバーを開いた状態で前記第２姿勢を維持することを特徴とする。
【００１９】
本態様によれば、媒体支持トレイは、装置本体の一部を開閉するカバーに設けられているとともに、カバーを開いても第２姿勢（閉じた状態）を維持できるので、カバーを開いた後にユーザーが媒体支持トレイを第２姿勢（閉じた状態）に戻す必要がなく、操作性が良好となる。
【００２０】
本発明の第５の態様は、第２から第４の態様のいずれかにおいて、前記第１開閉体及び前記第２開閉体が閉じ、且つ前記媒体支持トレイが前記第２姿勢にあるときに、前記媒体支持トレイの上端部が、前記第２開閉体の上部に表れることを特徴とする。
【００２１】
本態様によれば、前記第１開閉体及び前記第２開閉体が閉じ、且つ前記媒体支持トレイが前記第２姿勢にあるときに、前記媒体支持トレイの上端部が、前記第２開閉体の上部に表れるので、前記媒体支持トレイの視認性が良好となる。
【００２２】
本発明の第６の態様は、第２から第５の態様のいずれかにおいて、前記媒体支持トレイの上端部において前記第２開閉体の開閉に伴い当該第２開閉体と接する部位には、回転可能なローラーが設けられていることを特徴とする。
【００２３】
本態様によれば、前記媒体支持トレイの上端部において前記第２開閉体と接する部位には、回転可能なローラーが設けられているので、前記媒体支持トレイと前記第２開閉体とが接触する際に両者に傷が生じることを防止できるとともに、両者を円滑に回動させることができる。
【００２４】
本発明の第７の態様は、第２から第６のいずれか一項に記載の記録装置において、前記第１開閉体と前記媒体支持トレイとの間に形成される媒体差し込み口は、前記媒体支持トレイと、前記第１開閉体に設けられた、当該第１開閉体と前記媒体支持トレイとの間の間口を規制する規制カバーにより形成されることを特徴とする。
【００２５】
本態様によれば、前記第１開閉体と前記媒体支持トレイとの間に形成される媒体差し込み口は、前記媒体支持トレイと、前記第１開閉体に設けられた、当該第１開閉体と前記媒体支持トレイとの間の間口を規制する規制カバーにより形成されるので、前記媒体支持トレイと前記第１開閉体との間の間口が必要以上に大きくなることを防止でき、前記間口に異物が入り込むことを最小限に抑えることができる。
【００２６】
本発明の第８の態様は、第７の態様において、前記媒体支持トレイは、媒体のエッジ位置を規制するエッジガイドを備え、前記規制カバーは、回動することにより倒伏姿勢と倒立姿勢とを取りうるとともに前記第２姿勢にある前記媒体支持トレイと係合可能に設けられ、前記媒体支持トレイが前記第１姿勢にあるときには前記媒体支持トレイとの係合を解除して前記倒伏姿勢をとり、前記規制カバーの前記倒伏姿勢は、前記媒体支持トレイが前記第１姿勢から前記第２姿勢に切り換わる際に前記エッジガイドと干渉する姿勢であり、前記媒体支持トレイが前記第１姿勢から前記第２姿勢に切り換わる際に、前記規制カバーが前記エッジガイドによって上方に所定量掬い上げられることを特徴とする。
【００２７】
本態様によれば、前記規制カバーが回動可能に設けられ、回動することにより倒伏姿勢と倒立姿勢とをとりうるので、必要時には前記規制カバーを前記倒立姿勢にすることで前記間口を大きくすることができ、メンテナンス性が向上する。そして前記規制カバーが倒伏姿勢にあるときに前記媒体支持トレイが閉じる方向に回動すると、前記エッジガイドが前記規制カバーを掬い上げるので、前記規制カバーと前記媒体支持トレイとを別々に操作する必要がなく、操作性が良好となる。  
尚、前記規制カバーの倒立姿勢とは必ずしも直立した姿勢を意味するのではなく、また同様に倒伏姿勢とは必ずしも水平に寝た姿勢を意味するのではない。
【００２８】
本発明の第９の態様は、第８の態様において、前記規制カバーにおいて前記第２開閉体の側の面には突起が設けられ、前記第１開閉体及び前記第２開閉体が閉じた状態において前記規制カバーは、前記倒立姿勢において前記突起が前記第２開閉体に当接することで、当該倒立姿勢において前記倒伏姿勢の側へ回動する傾向が付与されることを特徴とする。
【００２９】
本態様によれば、前記規制カバーにおいて前記第２開閉体の側の面には突起が設けられ、この突起が前記第２開閉体に当接することで、前記規制カバーは前記倒立姿勢において前記倒伏姿勢の側へ回動する傾向が付与されるので、前記規制カバーが自立して立ったままの状態（倒立姿勢のままの状態）となることを防止でき、即ち前記第２開閉体と前記媒体支持トレイとの間の間口が大きく開いたままの状態となることを防止できる。その結果、前記間口に異物が入り込むことを最小限に抑えることができる。
【００３０】
本発明の第１０の態様は、第８のまたは第９の態様において、前記媒体支持トレイが前記第２姿勢にあるときに、前記規制カバーの先端部が前記媒体支持トレイに形成された凹部と嵌合することにより、前記規制カバーの前記倒立姿勢の側への回動が規制されることを特徴とする。
【００３１】
本態様によれば、前記媒体支持トレイが前記第２姿勢にあるときに、前記規制カバーの先端部が前記媒体支持トレイに形成された凹部と嵌合することにより、前記規制カバーの前記倒立姿勢の側への回動が規制されるので、前記規制カバーのがたつきを防止できる。また、前記媒体規制カバーが不用意に回動させられることを防止でき、即ち前記第２開閉体と前記媒体支持トレイとの間の間口が大きく開いたままの状態となることを防止できる。その結果、前記間口に異物が入り込むことを最小限に抑えることができる。
【図面の簡単な説明】
【００３２】
【図１】本発明に係るプリンターの斜視図。
【図２】本発明に係るプリンターの背面斜視図。
【図３】本発明に係るプリンターにおいてオートドキュメントフィーダー（ＡＤＦ）を開いた状態を示す斜視図。
【図４】本発明に係るプリンターにおいて原稿台を開いた状態を示す斜視図。
【図５】（Ａ）は第１の実施例における媒体支持トレイの第１姿勢（開いた状態）を示す斜視図であり、（Ｂ）は第１の実施例における第１媒体支持トレイの第２姿勢（閉じた状態）を示す斜視図である。
【図６】（Ａ）は第１の実施例における第１媒体支持トレイの第２姿勢（閉じた状態）における側断面図であり、（Ｂ）は（Ａ）における付勢手段の拡大図。
【図７】（Ａ）は第１の実施例における第１媒体支持トレイの第１姿勢（開いた状態）における側断面図であり、（Ｂ）は（Ａ）における付勢手段の拡大図。
【図８】（Ａ）は第１の実施例に係るプリンターにおいてオートドキュメントフィーダー（ＡＤＦ）を開いた状態を示す側面図であり、（Ｂ）は（Ａ）における第１媒体支持トレイの拡大図。
【図９】（Ａ）は第１の実施例に係るプリンターにおいて原稿台を開いた状態を示す側面図であり、（Ｂ）は（Ａ）における第１媒体支持トレイの拡大図。
【図１０】（Ａ）は第２の実施例に係る第１媒体支持トレイの斜視図であり、（Ｂ）は第２の実施例に係るプリンターにおいてオートドキュメントフィーダー（ＡＤＦ）を開いた状態を示す側面図。
【発明を実施するための形態】
【００３３】
以下、本発明の実施の形態を図面に基づいて説明する。尚、各実施例において同一の構成については、同一の符号を付し、最初の実施例においてのみ説明し、以後の実施例においてはその構成の説明を省略する。
【００３４】
図１は本発明に係るプリンターの斜視図であり、図２は本発明に係るプリンターの背面斜視図であり、図３は本発明に係るプリンターにおいてオートドキュメントフィーダー（ＡＤＦ）を開いた状態を示す斜視図であり、図４は本発明に係るプリンターにおいて原稿台を開いた状態を示す斜視図である。
【００３５】
図５（Ａ）は第１の実施例における媒体支持トレイの第１姿勢（開いた状態）を示す斜視図であり、図５（Ｂ）は第１の実施例における第１媒体支持トレイの第２姿勢（閉じた状態）を示す斜視図であり、図６（Ａ）は第１の実施例における第１媒体支持トレイの第２姿勢（閉じた状態）における側断面図であり、図６（Ｂ）は（Ａ）における付勢手段の拡大図であり、図７（Ａ）は第１の実施例における第１媒体支持トレイの第１姿勢（開いた状態）における側断面図であり、図７（Ｂ）は（Ａ）における付勢手段の拡大図である。
【００３６】
図８（Ａ）は第１の実施例に係るプリンターにおいてオートドキュメントフィーダー（ＡＤＦ）を開いた状態を示す側面図であり、図８（Ｂ）は（Ａ）における第１媒体支持トレイの拡大図であり、図９（Ａ）は第１の実施例に係るプリンターにおいて原稿台を開いた状態を示す側面図であり、図９（Ｂ）は（Ａ）における第１媒体支持トレイの拡大図であり、図１０（Ａ）は第２の実施例に係る第１媒体支持トレイの斜視図であり、図１０（Ｂ）は第２の実施例に係るプリンターにおいてオートドキュメントフィーダー（ＡＤＦ）を開いた状態を示す側面図である。
【００３７】
また、各図において示すＸ−Ｙ−Ｚ座標系はＸ方向が記録装置の幅方向、Ｙ方向が記録装置の奥行き方向、Ｚ方向が記録装置の高さ方向を示している。尚、各図において−Ｙ向を装置前面側とし、＋Ｙ方向側を装置背面側とする。
【００３８】
■■■記録装置の概要■■■■■■■■■■■■■■■■■
図１及び図２を参照するに、本発明に係るプリンター１０が示されている。プリンター１０は、装置本体１２と、装置本体１２の上部を開閉する「開閉体」もしくは「第１開閉体」としてのスキャナーユニット１４と、当該原稿台の上部を開閉する「第２開閉体」としてのオートドキュメントフィーダー（ＡＤＦ）１６（以下、「ＡＤＦ１６」）とを備えている。装置本体１２は、装置前面側（図１−Ｙ方向側）においてユーザーがプリンター１０を操作するための操作パネル部１８と、装置前面側に開口した排出口２０と、当該排出口２０の下方に配置された媒体収容部２２とを備えている。
【００３９】
媒体収容部２２は、Ｚ軸方向上方側に位置する上段側トレイ２４と、当該上段側トレイ２４の下方に位置する下段側トレイ２６とを備えている。上段側トレイ２４及び下段側トレイ２６は、装置本体１２に対しそれぞれ装置前方側（図３における−Ｙ方向）から装着及び取り外し可能に構成されている。また、操作パネル部１８は、プリンター１０を操作するための電源ボタンや印刷設定ボタン、表示パネル等を備えて構成されている。
【００４０】
また、装置本体１２内には、図示しないが媒体を媒体収容部２２から搬送する搬送部６８（図６（Ａ）及び図７（Ａ）参照）と、媒体の記録面に記録を行う記録ヘッド２３（図６（Ａ）参照）を備える記録部２５（図６（Ａ）参照）と、該記録部により記録が行われた媒体を排出口２０から排出する排出部と、媒体収容部２２から前記記録部を介して前記排出部に媒体を搬送する搬送経路とが設けられている。
【００４１】
また、装置本体１２は、装置背面側（図２＋Ｙ方向側）において、装置本体１２に対して開閉可能に構成された「カバー」としての背面カバー２８を備えている。尚、図２において、背面カバー２８は、装置本体１２に対して閉じた状態にある。また、背面カバー２８は、当該背面カバーの自由端側に背面カバー２８に対して回動可能に連結された第１媒体支持トレイ３０を備えている。
【００４２】
また、装置本体１２の上部にはスキャナーユニット１４及びＡＤＦ１６が設けられている。図１及び図３を参照するに、ＡＤＦ１６は、スキャナーユニット１４の上部に配置されている。ＡＤＦ１６は、スキャナーユニット１４の上部において＋Ｙ方向側の端部に回動軸３２を介して回動可能にスキャナーユニット１４と連結されている。このため、本実施例では、ＡＤＦ１６は、−Ｙ方向側の端部を自由端としてスキャナーユニット１４に対して回動し、スキャナーユニット１４の上部を開閉する。
【００４３】
また、ＡＤＦ１６は、第２媒体支持トレイ３４と、媒体搬送部３６と、媒体排出スタック３８と、ＡＤＦ１６の下面に設けられた原稿押さえ部材４０とを備えている。媒体搬送部３６は、ＡＤＦ１６がスキャナーユニット１４に対して閉じられている状態（図１参照）において第２媒体支持トレイ３４に支持された媒体を搬送し、スキャナーユニット１４の上部に設けられたＡＤＦ読取面４２（図３参照）においてスキャナーユニット１４の内部に設けられた光学走査部（図示せず）に読み取らせた後、媒体排出スタック３８に排出する。
【００４４】
次いで、図３及び図４を参照して、スキャナーユニット１４の構成について説明する。スキャナーユニット１４は、装置本体１２の上部に配置されている。また、スキャナーユニット１４は、装置本体１２の上部において＋Ｙ方向側の端部に回動軸４６を介して回動可能に装置本体１２と連結されている。このため、本実施例では、スキャナーユニット１４は、−Ｙ方向側の端部を自由端として装置本体１２に対して回動し、スキャナーユニット１４の上部を開閉する。
【００４５】
また、スキャナーユニット１４は、装置本体１２に対して開かれた状態（図４参照）にある際、装置本体１２の上部に設けられた開口部４８を介してキャリッジ（図示せず）のＸ軸方向における移動領域５０の少なくとも一部を開放する。
【００４６】
このため、キャリッジの移動領域５０において媒体の紙詰まりが生じた際、スキャナーユニット１４を装置本体１２に対して開いた状態とすることにより、ユーザーが開口部４８を介して移動領域５０に対してアクセス可能となり、容易に詰まった媒体を取り除くことができる。
【００４７】
また、スキャナーユニット１４は、その上部にＡＤＦ読取面４２及び原稿載置面５２（図３参照）を備えている。原稿載置面５２は、透明なガラス板により形成されている。本実施例では、原稿載置面５２の−Ｘ方向側の端部に光学走査部（図示せず）が原稿載置面５２に載置された原稿を読み取るための原稿読取原点Ｓが設定されている。尚、原稿載置面５２の周囲は原稿載置面５２より一段高くなっており、これにより原稿読取原点Ｓに対し、原稿角部を突き当てて位置決めすることができる様になっている。
【００４８】
また、スキャナーユニット１４に対してＡＤＦ１６が開かれた状態にある際、原稿載置面５２に媒体が載置される。その後、ＡＤＦ１６をスキャナーユニット１４に対して閉じることにより媒体が読取可能状態となる。この際、原稿載置面５２に載置された媒体は、ＡＤＦ１６に設けられた原稿押さえ部材４０により媒体の原稿載置面５２に面した側と反対側の面が押圧される。
【００４９】
また、スキャナーユニット１４は、その上部及び下部からその一部が突出しているロック機構５４（図３及び図４参照）を備えている。ロック機構５４は、ＡＤＦ１６がスキャナーユニット１４に対して開いている状態（図３参照）にある際、スキャナーユニット１４を装置本体１２に対して開かないようにロックし、スキャナーユニット１４が装置本体１２に対して開いている状態（図４参照）にある際、ＡＤＦ１６がスキャナーユニット１４に対して開かないようにロックするように構成されている。
【００５０】
■■■第１の実施例■■■■
図５（Ａ）ないし図９（Ｂ）を参照して、第１の実施例に係る第１媒体支持トレイ３０について説明する。背面カバー２８に回動可能に取り付けられた第１媒体支持トレイ３０は、背面カバー２８が装置本体１２に対して閉じた状態にある際、背面カバー２８に対して回動することにより傾斜姿勢を成す第１姿勢（図５（Ａ）参照）と、背面カバー２８に対して第１姿勢より直立姿勢に近い姿勢である第２姿勢（図５（Ｂ）参照）とを取り得るように構成されている。
【００５１】
また、装置本体１２に対してスキャナーユニット１４及びＡＤＦ１６が閉じ、かつ第１媒体支持トレイ３０が第２姿勢にある際、第１媒体支持トレイ３０の上端部５５がＡＤＦ１６の上部に表れる（図１参照）。このため、ユーザーがプリンター１０を装置前面側（図１における−Ｙ方向側）から見た際、第１媒体支持トレイ３０の上端部５５がＡＤＦ１６の上部に表れていることから第１媒体支持トレイ３０の視認性が良好となる。
【００５２】
また、図５（Ａ）に示すように第１媒体支持トレイ３０はＸ軸方向に延設されている。さらに、第１媒体支持トレイ３０は、媒体を支持する媒体支持面５６と、該載置面に配置され、媒体のエッジ位置を規制する一対の媒体エッジガイド５８を備えている。一対の媒体エッジガイド５８は、第１媒体支持トレイ３０において支持する媒体の幅方向におけるサイズに対応するようにＸ軸方向に変位可能に構成されている。
【００５３】
また、スキャナーユニット１４の背面（図５（Ａ）における＋Ｙ方向側）には、図５（Ａ）におけるＸ軸方向に延設され、スキャナーユニット１４に対して回動可能な規制カバー６０が設けられている。規制カバー６０は、回動することにより倒伏姿勢（図５（Ａ）参照）と倒立姿勢（図７（Ａ）参照）とを取り得る。ここで、倒伏姿勢とはスキャナーユニット１４の背面に対して第１姿勢にある第１媒体支持トレイ３０に向けて傾斜している状態（図７（Ａ）参照）を意味し、倒立姿勢とは、規制カバー６０がスキャナーユニット１４の背面に向けて前記傾斜している状態から図７（Ａ）における＋Ｚ方向に規制カバー６０の先端部６０ａが立ち上がった状態のことを意味する。尚、規制カバー６０については後述する。
【００５４】
また、第１媒体支持トレイ３０が第１姿勢（図５（Ａ）参照）にある際、第１媒体支持トレイ３０と装置本体１２との間には、装置本体１２の内部へ媒体を供給する媒体差し込み口６２（図５（Ａ）参照）が形成される。
【００５５】
また、図５（Ａ）に示すように第１媒体支持トレイ３０が第１姿勢にある際、媒体支持面５６に媒体が載置可能となる。さらに、媒体支持面５６に載置された媒体は、媒体差し込み口６２を介して媒体の搬送方向下流側に位置する装置本体１２内部に設けられた給送経路部６４に送られる。
【００５６】
また給送経路部６４には、媒体検出手段６６（図６（Ａ）参照）が設けられている。媒体検出手段６６は、給送経路部６４に給送されてきた媒体の存在を検出する。媒体検出手段６６は、媒体の検出信号を装置本体１２内部に設けられた制御部（図示せず）に送信する。前記制御部は、前記検出信号に基づいて前記媒体を搬送部６８に搬送する。さらに制御部は、記録部２５において記録ヘッド２３と対向する位置において媒体の記録を実行し、排出口２０から媒体を排出させる。
【００５７】
■■■第１媒体支持トレイの説明■■■■■■■  
図６（Ａ）ないし図７（Ｂ）を参照するに、第１媒体支持トレイ３０は、背面カバー２８の上端部に位置する、かつ背面カバー２８に対して揺動する下端部７０を備えている。下端部７０は、第１係合面７２と、第２係合面７４とを備えている。また、第１媒体支持トレイ３０には、図６（Ａ）においてＺ軸方向において下端部７０より＋Ｚ方向側に揺動支点となる揺動軸７５を備えている。
【００５８】
背面カバー２８は、その上端部に付勢手段７６を備えている。付勢手段７６は、揺動部材７８と、ばね８０とを備えている。揺動部材７８は、背面カバー２８に対して揺動軸８２を揺動支点として揺動可能に取り付けられている。また、揺動部材７８は、第１媒体支持トレイ３０の下端部７０と係合する係合部８４を備えている。係合部８４は、第３係合面８６と第４係合面８８とを備えている。
【００５９】
ばね８０は、揺動部材７８において揺動軸８２と係合部８４との間を装置背面側（図６（Ａ）における＋Ｙ方向側）に付勢している。このため、揺動部材７８は揺動軸８２を揺動支点として図６（Ａ）における時計周り方向に揺動する方向にばね８０により付勢されている。
【００６０】
図６（Ａ）及び図６（Ｂ）に示すように、第１媒体支持トレイ３０が第２姿勢にある際、揺動部材７８はばね８０により図６（Ａ）及び図６（Ｂ）における時計周り方向に揺動する向きに付勢されていることから、第１媒体支持トレイ３０の下端部７０と当接して該下端部を図６（Ａ）における＋Ｙ方向側に付勢する。
【００６１】
このため、第１媒体支持トレイ３０は、揺動軸７５を揺動支点として図６（Ａ）における反時計周り方向に揺動するように付勢される。このため、第１媒体支持トレイ３０の上端部５５はスキャナーユニット１４及びＡＤＦ１６に接近する方向（図６（Ａ）における−Ｙ方向）に付勢される。このため、第１媒体支持トレイ３０は第２の姿勢を維持する。
【００６２】
また、ユーザーが第１媒体支持トレイ３０を第２姿勢から第１姿勢に開く方向に力を作用させ、かつ第１媒体支持トレイ３０が所定角度θ（図７（Ａ）参照）より小さな角度で開く方向に変位させた場合、下端部７０の第１係合面７２と揺動部材７８の第３係合面８６とが当接する。
【００６３】
この状態において、ばね８０は揺動部材７８を図６（Ａ）における時計方向周りの向きに付勢している。このため、第１媒体支持トレイ３０からユーザーが手を離して第１媒体支持トレイ３０を開こうとする力がなくなると、第３係合面８６が下端部７０を図６（Ａ）における＋Ｙ方向側に付勢する。第１媒体支持トレイ３０は、下端部７０が＋Ｙ方向側に付勢されることにより揺動軸７５を揺動支点として図６（Ａ）における反時計周り方向に揺動し、第１姿勢側に開いた状態から第２姿勢に戻る。
【００６４】
また、ユーザーが第１媒体支持トレイ３０を第２姿勢から第１姿勢に開く方向に力を作用させ、かつ第１媒体支持トレイ３０を所定角度θ（図７（Ａ）参照）以上の角度で開く方向に変位させた場合、付勢手段７６の付勢力は第１媒体支持トレイ３０が開く方向に作用し、下端部７０の第２係合面７４と揺動部材７８の第４係合面８８とを当接させる。
【００６５】
この状態において、ばね８０は揺動部材７８を図７（Ａ）における時計方向周りの向きに付勢している。このため、第４係合面８８は、下端部７０の第２係合面７４を第１媒体支持トレイ３０の第１姿勢を保持する方向（図７（Ａ）において第２係合面７４から第１媒体支持トレイ３０の揺動軸７５に向かう方向）に付勢する。このため、第１媒体支持トレイ３０は、第１姿勢を保持する。
【００６６】
ここで、第１媒体支持トレイ３０は、第２姿勢（図６（Ａ）参照）から所定角度θ未満の位置（閉じる側）にある際、付勢手段７６の付勢力を受けて第２姿勢（閉じた姿勢）に向けて回動する傾向が付与されている。このため、第１媒体支持トレイ３０は自ら第２姿勢に向けて回動する。
【００６７】
また、第１媒体支持トレイ３０は、第２姿勢（図６（Ａ）参照）から所定角度θ以上の位置（開く側）にある際、付勢手段７６の付勢力を受けて第１姿勢（開いた姿勢）に向けて回動する傾向が付与されている。このため、第１媒体支持トレイ３０は自ら第１姿勢に向けて回動する。
【００６８】
付勢手段７６は、図７（Ａ）において第１媒体支持トレイ３０の位置が所定角度θより小さい場合、図７（Ａ）における反時計周り方向、即ち第１媒体支持トレイ３０を閉じる方向に付勢力を第１媒体支持トレイ３０に作用させる。また、図７（Ａ）において第１媒体支持トレイ３０の位置が所定角度θより大きい場合、図７（Ａ）における時計回り方向、即ち第１媒体支持トレイ３０を開く方向に付勢力を第１媒体支持トレイ３０に作用させる。つまり、付勢手段７６は所定角度θを境にして第１媒体支持トレイ３０の回動する方向を変化させることができる。
【００６９】
尚、第１媒体支持トレイ３０が第１姿勢にある場合、第２係合面７４と第４係合面８８とが面接触しているので、付勢手段７６は第２係合面７４から第１媒体支持トレイ３０の揺動軸７５に向かう方向に付勢力を第１媒体支持トレイ３０に作用させる。
【００７０】
第１媒体支持トレイ３０に回動する傾向を付与する付勢手段７６は、揺動部材７８とばね８０とを備え、第１媒体支持トレイ３０の回動を介して揺動部材７８が揺動し、第１媒体支持トレイ３０の下端部７０を付勢する方向が変化する構成であるので、付勢手段７６を構造簡単にして低コストに構成できる。
【００７１】
また、図６（Ａ）を参照するに背面カバー２８の内側の面２８ａ（装置本体１２内部に面する側の面）は、媒体収容部２２（図１参照）から搬送される媒体の搬送経路の一部を構成している。このため、背面カバー２８を装置本体１２に対して図６（Ａ）における＋Ｙ方向側に回動させて背面カバー２８を装置本体１２に対する開放状態とすると、媒体収容部２２から搬送される媒体の搬送経路の少なくとも一部が装置本体１２の外側に向けて露呈される。
【００７２】
この状態において、第１媒体支持トレイ３０は付勢手段７６の付勢力により背面カバー２８に対する第２姿勢を維持することができる。このため、背面カバー２８を装置本体１２に対して開いても第２姿勢（閉じた状態）を維持できることから、背面カバー２８を開いた後にユーザーが第１媒体支持トレイ３０を第２姿勢（閉じた状態）に戻す必要がなく、操作性が良好となる。
【００７３】
■■■規制カバーの説明■■■■■■■
再度、図５（Ａ）及び図５（Ｂ）を参照するに、規制カバー６０はスキャナーユニット１４の背面及びＡＤＦ１６と対向する側に突起９０を備えている。突起９０は、規制カバー６０からスキャナーユニット１４の背面及びＡＤＦ１６側に向けて突出するように形成されている。
【００７４】
さらに、第１媒体支持トレイ３０とスキャナーユニット１４の背面との間には、媒体を差し込むための媒体差し込み口６２が形成されている。規制カバー６０は、倒伏姿勢（図５（Ａ）参照）において媒体差し込み口６２の間口９２の図５（Ａ）におけるＹ軸方向の大きさを規制しており、間口９２が必要以上に大きくなることを防止している。
【００７５】
スキャナーユニット１４と第１媒体支持トレイ３０との間に形成される媒体差し込み口６２は、第１媒体支持トレイ３０と、スキャナーユニット１４に設けられた、当該スキャナーユニット１４と第１媒体支持トレイ３０との間の間口９２を規制する規制カバー６０により形成されるので、第１媒体支持トレイ３０とスキャナーユニット１４との間の間口９２が必要以上に大きくなることを防止でき、間口９２に異物が入り込むことを最小限に抑えることができる。
【００７６】
また、規制カバー６０の倒伏姿勢は、第１媒体支持トレイ３０が第１姿勢（図５（Ａ）参照）から第２姿勢（図５（Ｂ）参照）に切り替わる際に媒体エッジガイド５８と干渉する姿勢となっている。このため、第１媒体支持トレイ３０が第１姿勢（図５（Ａ）参照）から第２姿勢（図５（Ｂ）参照）に切り替わる際、規制カバー６０が媒体エッジガイド５８により図５（Ａ）における＋Ｚ方向に所定量掬い上げられる。
【００７７】
第１媒体支持トレイ３０が第２姿勢に位置すると、所定量掬い上げられた規制カバー６０の先端部６０ａは、第１媒体支持トレイ３０の媒体支持面５６が設けられた側に形成された凹部９４と嵌合する（図５（Ｂ）参照）。この状態では、規制カバー６０の倒立姿勢の側への回動が規制される。また、第１媒体支持トレイ３０が第２姿勢（図５（Ｂ）参照）から第１姿勢（図５（Ａ）参照）に切り替わると、規制カバー６０の先端部６０ａと凹部９４との嵌合状態が解除され、規制カバー６０は倒伏姿勢に変位する。
【００７８】
このため、第１媒体支持トレイ３０が第２姿勢（図６（Ａ）参照）にあるときに、規制カバー６０の先端部６０ａが第１媒体支持トレイ３０に形成された凹部９４と嵌合することにより、規制カバー６０の倒立姿勢の側への回動が規制されるので、規制カバー６０のがたつきを防止できる。また、規制カバー６０が不用意に回動させられることを防止でき、即ちＡＤＦ１６と第１媒体支持トレイ３０との間の間口９２が大きく開いたままの状態となることを防止できる。その結果、間口９２に異物が入り込むことを最小限に抑えることができる。
【００７９】
また、規制カバー６０が回動可能に設けられ、回動することにより倒伏姿勢と倒立姿勢とをとりうるので、必要時には規制カバー６０を倒立姿勢にすることで間口９２を大きくすることができ、メンテナンス性が向上する。そして規制カバー６０が倒伏姿勢にあるときに第１媒体支持トレイ３０が閉じる方向に回動すると、媒体エッジガイド５８が規制カバー６０を掬い上げるので、規制カバー６０と第１媒体支持トレイ３０とを別々に操作する必要がなく、操作性が良好となる。
【００８０】
また、規制カバー６０には突起９０が設けられていることから、スキャナーユニット１４及びＡＤＦ１６が装置本体１２に対して閉じた状態において、規制カバー６０を倒立姿勢に変位させると突起９０がＡＤＦ１６と当接することとなる。この際、規制カバー６０は、倒立姿勢において図５（Ａ）における＋Ｙ方向側に突起９０の突出量に応じて傾斜していることから、倒立姿勢において倒伏姿勢の側へ回動する傾向が付与されている。
【００８１】
このため、規制カバー６０が自立して立ったままの状態（倒立姿勢のままの状態）となることを防止でき、即ちＡＤＦ１６と第１媒体支持トレイ３０との間の間口９２が大きく開いたままの状態となることを防止できる。その結果、間口９２に異物が入り込むことを最小限に抑えることができる。
【００８２】
■■■ＡＤＦが開いた状態における第１媒体支持トレイの動作について■■■■■
図８（Ａ）及び図８（Ｂ）を参照して、「第２開閉体」であるＡＤＦ１６がスキャナーユニット１４に対して開く場合について説明する。
【００８３】
第１媒体支持トレイ３０における第２姿勢は、装置本体１２に対してスキャナーユニット１４が閉じ、スキャナーユニット１４に対してＡＤＦ１６が開いている状態において、ＡＤＦ１６と干渉する。このため、ＡＤＦ１６がスキャナーユニット１４に対して回動すると、ＡＤＦ１６の上部と第１媒体支持トレイ３０の上端部５５とが当接する。ＡＤＦ１６の回動に伴って、第１媒体支持トレイ３０の上端部５５は、図８（Ａ）における＋Ｙ方向に付勢される。
【００８４】
このため、第１媒体支持トレイ３０は、ＡＤＦ１６の上部と上端部５５とが干渉する分だけ第２姿勢から第１姿勢側の開く方向に変位する。この際、第１媒体支持トレイ３０の変位角度は第１媒体支持トレイ３０の回動方向を切り換える所定角度θよりも小さい。したがって、第１媒体支持トレイ３０は所定角度θから第２姿勢寄りの姿勢で開かれている。
【００８５】
このため、ＡＤＦ１６をスキャナーユニット１４に対して開いた状態から閉じた状態に戻すと、第１媒体支持トレイ３０は付勢手段７６の付勢力により第２姿勢に戻る。
【００８６】
■■■原稿台が開いた状態における第１媒体支持トレイの動作について■■■■■
図９（Ａ）及び図９（Ｂ）を参照して、「開閉体」あるいは「第１開閉体」であるスキャナーユニット１４が装置本体１２に対して開く場合について説明する。
【００８７】
第１媒体支持トレイ３０における第２姿勢は、スキャナーユニット１４に対してＡＤＦ１６が閉じ、装置本体１２に対してスキャナーユニット１４が開いている状態において、スキャナーユニット１４と干渉する。このため、スキャナーユニット１４が装置本体１２に対して回動すると、規制カバー６０の先端部６０ａが該先端部と嵌合している凹部９４を介して第１媒体支持トレイ３０を開く方向に付勢する。このため、第１媒体支持トレイ３０は、該第１媒体支持トレイが開く方向に回動する。
【００８８】
また、スキャナーユニット１４の回動に伴って、規制カバー６０の先端部６０ａは凹部９４との嵌合状態を解消する。さらに規制カバー６０は、媒体エッジガイド５８に掬い上げられ、倒立状態になるとともに媒体エッジガイド５８に沿って変位する。この際、規制カバー６０の突起９０がＡＤＦ１６に当接する。このため、スキャナーユニット１４は、ＡＤＦ１６及びＡＤＦ１６と当接している規制カバー６０を介して第１媒体支持トレイ３０を付勢する。
【００８９】
このため、第１媒体支持トレイ３０は、スキャナーユニット１４及び規制カバー６０が第１媒体支持トレイ３０に干渉する分だけ第２姿勢から第１姿勢側の開く方向に変位する。この際、第１媒体支持トレイ３０の変位角度は第１媒体支持トレイ３０の回動方向を切り換える所定角度θよりも小さい。したがって、第１媒体支持トレイ３０は所定角度θから第２姿勢寄りの姿勢で開かれている。
【００９０】
このため、スキャナーユニット１４を装置本体１２に対して開いた状態から閉じた状態に戻すと、第１媒体支持トレイ３０は付勢手段７６の付勢力により第２姿勢に戻る。
【００９１】
以上より、装置本体１２に対するスキャナーユニット１４、ＡＤＦ１６の２つの開閉体における開閉領域に干渉する第１媒体支持トレイ３０を備えるプリンター１０において、第２姿勢（閉じた状態）の第１媒体支持トレイ３０は、スキャナーユニット１４或いはＡＤＦ１６の開き動作に伴い開くことができるので、スキャナーユニット１４、ＡＤＦ１６の開き動作に伴い第１媒体支持トレイ３０が破損することを防止できる。
【００９２】
そしてスキャナーユニット１４或いはＡＤＦ１６が開いた状態では、第１媒体支持トレイ３０が、所定角度θから第２姿勢寄りの姿勢でＡＤＦ１６により開かれているので、第１媒体支持トレイ３０は付勢手段７６の付勢力を受けてＡＤＦ１６に当接した姿勢を維持できる。従ってスキャナーユニット１４及びＡＤＦ１６を閉じれば、第１媒体支持トレイ３０は第２姿勢（閉じた状態）に戻ることができるので、ユーザーが自ら第１媒体支持トレイ３０を第２姿勢（閉じた状態）に戻す必要がなく、操作性が向上する。
【００９３】
■■■第２の実施例■■■■  
図１０（Ａ）及び図１０（Ｂ）を参照して、第２の実施例について説明する。第２の実施例は、第１媒体支持トレイの上端部にローラーを備えている点で第１の実施例と相違する。
【００９４】
第１媒体支持トレイ９６の上端部９８に回動可能なローラー１００が設けられている。具体的には、ＡＤＦ１６がスキャナーユニット１４に対して回動する際、ＡＤＦ１６の上部と接する第１媒体支持トレイ９６の上端部９８の位置に回動可能なローラー１００が設けられている。このため、第１媒体支持トレイ９６とＡＤＦ１６とが接触する際に両者に傷が生じることを防止できるとともに、両者を円滑に回動させることができる。
【００９５】
＜＜＜実施例の変形例＞＞＞  
以上の各実施例において、装置本体１２に対して開閉する開閉体として、スキャナーユニットであるスキャナーユニット１４とオートドキュメントフィーダー１６とを備える構成としたが、「開閉体」としてのスキャナーユニット１４だけを備える構成としてもよい。
【００９６】
上記説明をまとめると本実施例としてのプリンター１０は、媒体に記録を行う記録ヘッド２３を備えた装置本体１２と、該装置本体の上部を開閉するスキャナーユニット１４と、該原稿台の上部を開閉するＡＤＦ１６と、給送前の媒体を支持する媒体支持面５６を形成するとともに、回動することにより傾斜姿勢を成す第１姿勢と、当該第１姿勢より直立姿勢に近い姿勢である第２姿勢と、を取り得る第１媒体支持トレイ３０と、該第１媒体支持トレイを前記第２姿勢に向けて付勢する付勢手段７６とを備える。第１媒体支持トレイ３０は、回動範囲において前記第２姿勢と前記第１姿勢との間の所定角度θから前記第２姿勢の側では、付勢手段７６の付勢力を受けて前記第２姿勢に向けて回動する傾向が付与されている。第１媒体支持トレイ３０の前記第２姿勢は、スキャナーユニット１４が閉じ且つＡＤＦ１６が開いた状態において当該ＡＤＦ１６と干渉する姿勢である。  
その上で、スキャナーユニット１４が開き且つＡＤＦ１６が閉じた状態のＡＤＦ１６と干渉する姿勢であり、スキャナーユニット１４が閉じ且つＡＤＦ１６が開いた状態、及びスキャナーユニット１４が開き且つＡＤＦ１６が閉じた状態で、第１媒体支持トレイ３０が、所定角度θから前記第２姿勢寄りの姿勢でＡＤＦ１６により開かれている。
【００９７】
また、本実施例の変更例としてのプリンター１０は、媒体に記録を行う記録ヘッド２３を備えた装置本体１２と、該装置本体の上部を開閉するスキャナーユニット１４と、給送前の媒体を支持する媒体支持面５６を形成するとともに、回動することにより傾斜姿勢を成す第１姿勢と、当該第１姿勢より直立姿勢に近い姿勢である第２姿勢と、を取り得る第１媒体支持トレイ３０と、該第１媒体支持トレイを前記第２姿勢に向けて付勢する付勢手段７６とを備える。また、第１媒体支持トレイ３０は、回動範囲において前記第２姿勢と前記第１姿勢との間の所定角度θから前記第２姿勢の側では、付勢手段７６の付勢力を受けて前記第２姿勢に向けて回動する傾向が付与されている。第１媒体支持トレイ３０の前記第２姿勢は、スキャナーユニット１４が開いた状態で当該原稿台と干渉する姿勢である。  
その上で、スキャナーユニット１４の開姿勢において第１媒体支持トレイ３０が、所定角度θから前記第２姿勢寄りの姿勢でスキャナーユニット１４により開かれている。
【００９８】
付勢手段７６は、第１媒体支持トレイ３０の下端部７０と係合する係合部８４を有するとともに揺動可能に設けられた揺動部材７８と、該揺動部材を所定の揺動方向に付勢するばね８０とを備える。第１媒体支持トレイ３０の回動を介して揺動部材７８が揺動し、係合部８４が第１媒体支持トレイ３０の下端部７０を付勢する方向が変化することにより、第１媒体支持トレイ３０が、所定角度θを境にして回動する方向を変化させる。
【００９９】
プリンター１０は、装置本体１２の一部を開閉可能に設けられ、開くことにより媒体を搬送する媒体搬送路の少なくとも一部を露呈させる背面カバー２８を備える。  
第１媒体支持トレイ３０が背面カバー２８に設けられるとともに、背面カバー２８を装置本体１２に対して開いた状態で前記第２姿勢を維持する。
【０１００】
スキャナーユニット１４及びＡＤＦ１６が閉じ、且つ第１媒体支持トレイ３０が前記第２姿勢にあるときに、第１媒体支持トレイ３０の上端部５５が、ＡＤＦ１６の上部に表れる。第１媒体支持トレイ９６の上端部９８においてＡＤＦ１６の開閉に伴い当該ＡＤＦと接する部位には、回転可能なローラー１００が設けられている。
【０１０１】
スキャナーユニット１４と第１媒体支持トレイ３０との間に形成される媒体差し込み口６２は、第１媒体支持トレイ３０と、スキャナーユニット１４に設けられた、当該スキャナーユニット１４と第１媒体支持トレイ３０との間の間口９２を規制する規制カバー６０により形成される。
【０１０２】
第１媒体支持トレイ３０は、媒体のエッジ位置を規制する媒体エッジガイド５８を備える。規制カバー６０は、回動することにより倒伏姿勢と倒立姿勢とを取りうるとともに前記第２姿勢にある第１媒体支持トレイ３０と係合可能に設けられ、該第１媒体支持トレイが前記第１姿勢にあるときには第１媒体支持トレイ３０との係合を解除して前記倒伏姿勢をとり、規制カバー６０の前記倒伏姿勢は、第１媒体支持トレイ３０が前記第１姿勢から前記第２姿勢に切り換わる際に媒体エッジガイド５８と干渉する姿勢であり、第１媒体支持トレイ３０が前記第１姿勢から前記第２姿勢に切り換わる際に、規制カバー６０が媒体エッジガイド５８によって上方に所定量掬い上げられる。
【０１０３】
規制カバー６０においてＡＤＦ１６の側の面には突起９０が設けられている。  
スキャナーユニット１４及びＡＤＦ１６が閉じた状態において規制カバー６０は、前記倒立姿勢において突起９０がＡＤＦ１６に当接することで、当該倒立姿勢において前記倒伏姿勢の側へ回動する傾向が付与される。第１媒体支持トレイ３０が前記第２姿勢にあるときに、規制カバー６０の先端部６０ａが第１媒体支持トレイ３０に形成された凹部９４と嵌合することにより、規制カバー６０の前記倒立姿勢の側への回動が規制される。
【０１０４】
また、本実施形態では本発明に係る第１媒体支持トレイ３０を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【０１０５】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【０１０６】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１０７】
１０  プリンター、１２  装置本体、１４  スキャナーユニット、
１６  オートドキュメントフィーダー（ＡＤＦ）、１８  操作パネル部、２０  排出口、
２２  媒体収容部、２３  記録ヘッド、２４  上段側トレイ、２５  記録部、
２６  下段側トレイ、２８  背面カバー、２８ａ  内側の面、
３０、９６  第１媒体支持トレイ、３２、４６  回動軸、３４  第２媒体支持トレイ、
３６  媒体搬送部、３８  媒体排出スタック、４０  原稿押さえ部材、
４２  ＡＤＦ読取面、４８  開口部、５０  移動領域、５２  原稿載置面、
５４  ロック機構、５５、９８  上端部、５６  媒体支持面、５８  媒体エッジガイド、
６０  規制カバー、６０ａ  先端部、６２  媒体差し込み口、６４  給送経路部、
６６  媒体検出手段、６８  搬送部、７０  下端部、７２  第１係合面、
７４  第２係合面、７５、８２  揺動軸、７６  付勢手段、７８  揺動部材、８０  ばね、
８４  係合部、８６  第３係合面、８８  第４係合面、９０  突起、９２  間口、
９４  凹部、１００  ローラー、Ｓ  原稿読取原点、θ  所定角度
【図１】
2014196158.tif 000003
【図２】
2014196158.tif 000004
【図３】
2014196158.tif 000005
【図４】
2014196158.tif 000006
【図５】
2014196158.tif 000007
【図６】
2014196158.tif 000008
【図７】
2014196158.tif 000009
【図８】
2014196158.tif 000010
【図９】
2014196158.tif 000011
【図１０】
2014196158.tif 000012